(57)【要約】【課題】  設置された狭い隙間の中において回転させることができると共に、十分な強度を有し、正面板が歪んだりすることを可及的に抑制することができる移動自在型ハンガーを提供する。【解決手段】  奥行きＤと最大幅Ｗとの比Ｄ／Ｗが１以下であり、かつ最大幅の存する位置が前側にあり、最大幅の存する位置から後側へ行くに従って漸次幅が狭くなる板状の台座２と、台座２の上面側に幅方向に沿って直立して設けられた正面板４と、台座２の下面に設けられた転動自在の３個以上のキャスター３と、正面板の裏面から後側へ水平方向に延伸するハンガー掛け部６１とを有する移動自在型ハンガー１とする。【選択図】  図１
2005137524.tif 000002
【特許請求の範囲】
【請求項１】
奥行きＤと最大幅Ｗとの比Ｄ／Ｗが１以下であり、かつ最大幅の存する位置が前側にあり、最大幅の存する位置から後側へ行くに従って漸次幅が狭くなる板状の台座と、前記台座の上面側に幅方向に沿って直立して設けられた正面板と、前記台座の下面に設けられた転動自在の３個以上のキャスターと、前記正面板の裏面から後側へ水平方向に延伸するハンガー掛け部とを有することを特徴とする移動自在型ハンガー。
【請求項２】
請求項１記載の移動自在型ハンガーにおいて、
前記ハンガー掛け部と前記台座の上面とを掛け渡して設けられた第１補強部と、前記第１補強部と前記正面板とを掛け渡して設けられた第２補強部とを有することを特徴とする移動自在型ハンガー。
【請求項３】
請求項１記載の移動自在型ハンガーにおいて、
前記Ｄ／Ｗが０．７〜１の範囲であることを特徴とする移動自在型ハンガー。
【請求項４】
請求項１記載の移動自在型ハンガーにおいて、
前記最大幅の存する位置が、前端から奥行きの１／１０〜１／２の範囲にあり、最大幅の位置に最大幅とほぼ等しい幅の正面板が設けられていることを特徴とする移動自在型ハンガー。
【請求項５】
請求項１記載の移動自在型ハンガーにおいて、
前記正面板の上端に前記正面板より後方の前記台座と対向する天板が設けられていることを特徴とする移動自在型ハンガー。
【発明の詳細な説明】
【技術分野】
【０００１】
本発明は、洋服を掛けたハンガーなどを吊して収納するために用いられる移動自在型のハンガーに関する。
【背景技術】
【０００２】
従来より、図５に示すような移動自在型ハンガーが知られている。図５は移動自在型ハンガーを後方斜め側から見た斜視図である。この移動自在型ハンガー１００は、金属製四角パイプをＨ形に組んだ台座１１０の四隅の下面に転動自在のキャスター１２０が取り付けられ、台座１１０はキャスター１２０によって床面を移動自在になっている。少なくともコートを吊す高さ以上の高さを有し、台座１１０の前面側パイプ１１１と同じ幅の正面板１３０の下面が前面側パイプ１１１の上端に直立して取り付けられている。正面板１３０の上端部の裏面中央には水平方向に張り出したハンガー掛け部１４０の一端側が取り付けられている。ハンガー掛け部１４０の後端縁と台座１１０の後端中央部とに補強パイプ１５０が掛け渡されている。正面板１３０の正面側には取っ手１６０が取り付けられている。
【０００３】
この移動自在型ハンガー１００の使用方法は、台座１１０の幅よりわずかに幅が大きい程度の隙間に正面板１３０が前面に位置するように台座１１０を配置する。このときには、正面板１３０だけが見え、吊している洋服は見えないため、家具として見栄えがよい。洋服を掛けるときや掛けた洋服を取り出すときは、取っ手１６０を握って移動自在型ハンガー１００を前方側へ引き出す。そして、洋服を掛けたハンガーの鈎状部分をハンガー掛け部１４０に吊したり、ハンガーに掛けている洋服を取り出す。その後、隙間に移動自在型ハンガー１００を押し込めて、家具としての外観に戻す操作を行う。
【０００４】
そのため、この移動自在型ハンガー１００は、狭い隙間をハンガーとして有効に利用できると共に、家具として見栄えの良い外観を有するため高級感がある。
【発明の開示】
【発明が解決しようとする課題】
【０００５】
しかしながら、この移動自在型ハンガー１００は、台座１１０の前端に重い正面板１３０が取り付けられているため、不安定である。正面板１３０が前方側へ倒れないようにするため、幅よりも奥行きのある台座１１０を用いて、重心を少しでも後方側へ寄せて安定するように考慮されている。
【０００６】
ところで、配置された狭い隙間の中で回転させて正面板の後側を正面に出せれば、移動自在型ハンガーを引き出さずに済み、部屋のスペースを有効利用できて非常に便利であるが、上記移動自在型ハンガー１００は、このような使用方法が考慮されておらず、不便である。また、台座１１０がＨ形に組まれたパイプで構成された構造であるため、正面板１３０がねじれる方向や垂直方向から傾く方向に対する強度が十分でなく、ハンガー掛け部１４０に吊している洋服が重くなったり、キャスター１２０の回転が引っかかるときなどに、正面板１３０が垂直方向に立っている状態から歪んでしまい、見栄えが悪くなると共に、耐久性も不十分である。
【０００７】
本発明は、上記事情に鑑みてなされたもので、設置された狭い隙間の中において回転させることができると共に、十分な強度を有し、正面板が歪んだりすることを可及的に抑制することができる移動自在型ハンガーを提供することを目的とする。
【課題を解決するための手段】
【０００８】
上記目的を達成するため、本発明は、奥行きＤと最大幅Ｗとの比Ｄ／Ｗが１以下であり、かつ最大幅の存する位置が前側にあり、最大幅の存する位置から後側へ行くに従って漸次幅が狭くなる板状の台座と、前記台座の上面側に幅方向に沿って直立して設けられた正面板と、前記台座の下面に設けられた転動自在の３個以上のキャスターと、前記正面板の裏面から後側へ水平方向に延伸するハンガー掛け部とを有することを特徴とする移動自在型ハンガーを提供する。
【０００９】
この移動自在型ハンガーは、キャスターによって移動自在になっている台座の形状において、奥行きと最大幅の比率、最大幅の存する位置及び最大幅から後側の形状を規定したことにより、狭い隙間に設置された状態でも台座をその場で回転させることが可能であり、回転させて正面板の裏側のハンガー掛け部に掛けられている服などを簡単に取り出すことができる。狭い隙間の範囲で服を取り出す操作ができ、引き出す場所が不要になるため、部屋のスペースを有効に利用することができる。また、台座が板状であり、変形し難いため、台座と正面板という面と面との組み合わせで正面板を台座が支える強度が十分であり、重い服を掛けても変形などが生じ難い。
【００１０】
本発明は、請求項１記載の移動自在型ハンガーにおいて、前記ハンガー掛け部と前記台座の上面とを掛け渡して設けられた第１補強部と、前記第１補強部と前記正面板とを掛け渡して設けられた第２補強部とを有することを特徴とする移動自在型ハンガーを提供する。
【００１１】
第１補強部がハンガー掛け部を安定して支え、第２補強部が第１補強部の強度を向上させるため、強度に優れ、重い服を掛けても変形が生じ難い。
【００１２】
本発明は、請求項１記載の移動自在型ハンガーにおいて、前記Ｄ／Ｗが０．７〜１の範囲であることを特徴とする移動自在型ハンガーを提供する。
【００１３】
Ｄ／Ｗが０．７より小さいと、奥行きが不足し、安定性に劣るおそれがあり、Ｄ／Ｗが１を超えると、狭い隙間での回転が困難になる。
【００１４】
本発明は、請求項１記載の移動自在型ハンガーにおいて、前記最大幅の存する位置が、前端から奥行きの１／１０〜１／２の範囲にあり、最大幅の位置に最大幅とほぼ等しい幅の正面板が設けられていることを特徴とする移動自在型ハンガーを提供する。
【００１５】
最大幅の位置がこの範囲に存することにより、狭い隙間での回転が容易になると共に、最大幅の位置に最大幅とほぼ等しい幅の正面板を設置することにより、後側を正面板が確実に隠すことができ、家具としての見栄えが良くなる。更に、正面板が台座の前端より後方側へ設けられていることにより、重心の位置を後方側へ存在させて安定性が向上する。
【００１６】
本発明は、請求項１記載の移動自在型ハンガーにおいて、前記正面板の上端に前記正面板より後方の前記台座と対向する天板が設けられていることを特徴とする移動自在型ハンガーを提供する。
【００１７】
正面板の上端に後方へ延伸する天板を設けることにより、重心の位置が後方寄りになり、前方へ倒れることを抑制して安定性が向上する。
【発明の効果】
【００１８】
本発明の移動自在型ハンガーは、狭い隙間に設置された状態でも台座をその場で回転させることが可能であり、回転させて正面板の裏側を正面に出して掛けられている服などを簡単に取り出すことができるため、便利である。また、強度的に優れ、正面板が歪んだりすることがない。
【発明を実施するための最良の形態】
【００１９】
以下、本発明の移動自在型ハンガーの実施の形態について説明するが、本発明は以下の実施の形態に限定されるものではない。
図１は、本発明の移動自在型ハンガーの一実施形態を斜め前方から見た斜視図である。また、図２は、台座の下方のやや後方から見た斜視図である。図３は、この移動自在型ハンガーの台座の一実施形態の平面形状を示すもので、（ａ）は最大幅と奥行きの関係を示し、（ｂ）は隙間の中で回転させる状態を説明し、（ｃ）は台座の他の実施形態を示す。
【００２０】
この移動自在型ハンガー１は、例えば図３（ａ）に示すような平面形状の板状の台座２を備える。台座２の下面の４隅と中央には合計５個の転動自在のキャスター３が取り付けられている。キャスター３は自立するために３個以上が必要である。台座２はキャスターに支持されて床面を移動自在になっている。少なくともコートを吊す高さ以上の高さを有し、台座２の最大幅とほぼ同じ幅を有する矩形の正面板４が、台座２の前端から所定の距離をおいて最大幅になっている位置に幅方向と平行に台座２の上面側に対して直立して例えばネジ止めで取り付けられている。
【００２１】
正面板４の上端縁の裏面には、前端縁が正面板４と同じ幅を有する板状の天板５が正面板４と直交して水平方向に取り付けられている。天板５は正面板４より後方の台座２と対向しており、その平面形状は正面板４が取り付けられている台座２の後側の部分とほぼ同じ形状である。正面板４の上端縁に後方へ展開する天板５を設けることにより、埃が収納している洋服に付くことを防止できると共に、重心の位置を後方寄りに移動させることができ、安定性を向上させることができる。
【００２２】
移動自在型ハンガー１は一体の部品としての金属製パイプで構成されるＦ字状のハンガーパイプ６を有する。このハンガーパイプ６は、正面板４の裏面から水平方向に延伸する棒状乃至はパイプ状のハンガー掛け部６１を有し、ハンガー掛け部６１の長さは天板５の後方への奥行きより短くなっている。ハンガー掛け部６１の後端縁には円盤状の先端止め６２が設けられている。ハンガー掛け部６１の先端止め６２からやや前方よりの位置に天板５の下面と台座２の上面との間を掛け渡すパイプ状の第１補強部６３がその先端縁よりやや下方でハンガー掛け部６１と一体に接合されている。第１補強部６３のほぼ中央部に第１補強部６３と正面板４の裏面とを掛け渡す第２補強部６４の一端縁が一体に接合されている。
【００２３】
ハンガーパイプ６は、第１補強部６３の上端縁が天板５の下面に下端縁が台座２の上面にそれぞれネジ止めで固定され、ハンガー掛け部６１の前端縁は天板５より少し低い位置の正面板４の裏面の中央に正面板４の前面側からハンガー部７と相互のネジ止めにより取り付けられている。第２補強部６４は正面板４の裏面にネジ止めで固定されている。
【００２４】
これにより、ハンガー掛け部６１が正面板４の上端部の裏面から水平方向へ延伸し、台座２の上面と天板５の下面との間を掛け渡している第１補強部６３がハンガー掛け部６１の後端を支持している。また、第２補強部６４が第１補強部６３のほぼ中間部と正面板４の裏面とを掛け渡して第１補強部６３を補強している。
【００２５】
正面板４の正面の高さの中間部には、両端部がそれぞれ内向きにほぼ直角に屈曲されたコ字状のパイプで構成される取っ手部８が水平方向に伸びて両端が正面板４の前面の両端部に取り付けられている。この移動自在型ハンガー１の台座２と正面板４と天板５は、例えば木材の繊維を特殊な接着剤を用いて熱圧成板した厚みがある木質板のＭＤＦ（Medium Density Fiber Board、中質繊維板）を用いている。
【００２６】
本発明の移動自在型ハンガー１においては、台座２の平面形状に特徴がある。図３（ａ）に示すように、台座２の奥行きＤと最大幅Ｗとの比Ｄ／Ｗを１以下、好ましくは０．７〜１、最も好ましくは０．８〜１の範囲とする。また、台座２の最大幅の存する位置が前側にあり、最大幅の存する位置は前端から奥行きの１／１０〜１／２、特に１／５〜１／３の範囲にあることが好ましい。また、最大幅の存する位置から後側へ行くに従って漸次幅が狭くなる平面形状を有する。また、最大幅Ｗが存する位置から前端部は前端側へ行くに従い幅が狭くなる形状が好ましい。これらの平面形状の規定は、狭い隙間に設置したときにその狭い隙間の中でその場で回転できるようにするためである。最大幅Ｗが奥行きＤより小さいと、狭い隙間での回転が困難になる。Ｄ／Ｗが小さくなりすぎると、奥行きが小さくなり、前後の安定性が悪くなる場合がある。
【００２７】
図３（ｂ）に示すように、このような台座２を狭い隙間２００に収め、台座２の前端縁が隙間２００の前面と面一になり、両側と奥行きにごくわずかの隙間がある実線で示す状態２から、破線で示すようにその場で回転させると、狭い隙間の中で回転させることができる。そして、移動自在型ハンガー１を横向きにした状態２’でハンガー掛け部６１に洋服を掛けたり取り出したりする操作ができる。横向きに回転させた後、正面板４が前面になるように逆回転させる。このように、服を掛けたり取り出したりする操作が、移動自在型ハンガー１を引き出さずにできるため、狭い場所での操作性に優れている。
【００２８】
図１〜図４（ｂ）に示した台座２は台形の四隅を丸くしたような形状であったが、図４（ｃ）に示すように、最大幅Ｗの位置より後側は円弧状の台座２とすることも可能である。
【００２９】
また、正面板４の台座２への取付位置は、正面板４が台座２の前端の位置にあると重心の位置が前側になりすぎて不安定になり、正面板４が前方に倒れるおそれがある。一方、正面板４を台座２の中心近傍に配置すると安定性は向上するが、台座２の前方側に無駄が生じ、後方の服を掛けるスペースが小さくなってしまう。そのため、正面板４の台座２への取付位置は、台座の前端から奥行きの１／１０〜１／２、特に１／５〜１／３の範囲とすることが好ましい。台座２の最大幅Ｗの位置も、正面板４を配置する位置と一致させることが好ましい。台座２の最大幅Ｗの位置と正面板４が存する位置とが一致し、正面板４の幅を台座２の最大幅Ｗと一致させることにより、後側を正面板４が最大限に隠せるため、家具としての見栄えが良くなる。
【００３０】
移動自在型ハンガー１の寸法を例示すると、例えば最大幅Ｗが約６０ｃｍ、奥行きＤが約５４ｃｍ、全体の高さが約２０３ｃｍである。
【００３１】
移動自在型ハンガー１の使用方法について説明する。移動自在型ハンガー１は、ハンガーを掛ける主体となるのはハンガー掛け部６１であるが、その他に、第２補強部６４と正面側のハンガー部７にもハンガーを掛けることができる。図４（ａ）に示すように、通常は移動自在型ハンガー１の台座２を隙間の中に配置し、正面板４の前面を正面に配置することにより、家具としての外観を有する。中の洋服を取り出したり入れたりするときには、通常の移動自在型ハンガー１００と同様に、図４（ｂ）に示すように、隙間から引き出し、回転させて反対向きにして正面板４の裏側を正面にするように配置し、洋服を掛けたり洋服を取り出したりすることができる。
【００３２】
このように隙間から引き出して使用する方法以外に、本実施形態の移動自在型ハンガー１は、図３（ｂ）に示したように、隙間の中に収めた状態で回転させて正面板４の後側を正面側に出し、洋服の出し入れを行うことができる。引き出す場所が不要になるため、部屋のスペースを有効に利用することができる。そのため、移動自在型ハンガー１の複数台を並べて使用する場合に、部屋のスペースを大きく占めることなく、部屋のスペースを有効利用することができる。
【００３３】
また、台座２がＭＤＦ等の板状体で構成されているため、変形などが生じ難い。更に、台座２と直交して取り付けられているＭＤＦ等の正面板４との組み合わせは、面と面の組み合わせであるため、正面板４がねじれる方向や垂直方向から傾く方向に対する強度が十分あり、ハンガー掛け部６１に吊している洋服が重くなったり、キャスター３の回転が引っかかるときなどでも、正面板４が垂直方向に立っている状態から歪んでしまうことがなく、安定性、耐久性に優れる。
【００３４】
また、第２補強部６４が第１補強部６３の中間部で第１補強部６３と正面板４とを掛け渡して第１補強部６３を補強し、ハンガー掛け部６１を支えている第１補強部６３を補強しているため、骨組みの強度に優れていると共に、ハンガー掛けの用途にも使用可能であり、利便性が向上している。
【００３５】
本発明の移動自在型ハンガーは、上述したものに限定されるものではない。例えば、正面板の形状は矩形状でなくてもよく、またハンガー掛け部の形状も図示のものに限定されるものではない。
【産業上の利用可能性】
【００３６】
本発明の移動自在型ハンガーは、洋服を掛けて収納する用途に利用することができる。
【図面の簡単な説明】
【００３７】
【図１】本発明の移動自在型ハンガーの一実施形態を斜め前方から見た斜視図である。
【図２】本発明の移動自在型ハンガーの一実施形態を台座の下方のやや後方から見た斜視図である。
【図３】台座の一実施形態の平面形状を示すもので、（ａ）は最大幅と奥行きの関係を示し、（ｂ）は隙間の中で回転させる状態を説明し、（ｃ）は台座の平面形状の他の実施形態を示す。
【図４】移動自在型ハンガーの使用方法を説明する説明図である。
【図５】従来の移動自在型ハンガーを後方から見た斜視図である。
【符号の説明】
【００３８】
１：移動自在型ハンガー、２：台座、３：キャスター、４：正面板、５：天板、６：ハンガーパイプ、６１：ハンガー掛け部、６３：第１補強部、６４：第２補強部
【図１】
2005137524.tif 000003
【図２】
2005137524.tif 000004
【図３】
2005137524.tif 000005
【図４】
2005137524.tif 000006
【図５】
2005137524.tif 000007